(57)【要約】【課題】視差制御を介しての入力画像の欠落を抑制した高精度の画像入力と高精度の視差制御による画像表示が可能な液晶表示電子機器を提供する。【解決手段】液晶表示電子機器１は、液晶表示部１０と、液晶表示部１０が相互に異なる第１視認方向ＥＤｆおよび第２視認方向ＥＤｓに向けて異なる表示画像ＤＩＭ（第１視認方向表示画像ＤＩＭｆ／第２視認方向表示画像ＤＩＭｓ）を表示するように液晶表示部１０に対して視差制御を施す視差制御部２０とを備える。視差制御部２０に重畳して配置され入力画像ＷＩＭ（第１視認方向入力画像ＷＩＭｆ／第２視認方向入力画像ＷＩＭｓ）の入力が許容される入力許容領域３１を有する画像入力部３０を備える。視差制御は、視差制御部２０の液晶分子の配列方向を制御することによって実行され、画像入力部３０への画像入力は、発光型入力ペン３５によって実行される。【選択図】図１Ａ
2009199011.tif 000002
【特許請求の範囲】
【請求項１】
表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器であって、
前記視差制御部に重畳して配置され入力画像の入力が許容される入力許容領域を有する画像入力部と、
前記入力許容領域に対応して配置され、入力された入力画像を前記第１視認方向または前記第２視認方向に対応させて検出する入力画像検出部と、
該入力画像検出部で検出された入力画像に画像演算処理を施して入力画像に対応する画像表示信号を生成する画像表示信号生成部とを備え、
前記液晶駆動部は、前記画像表示信号に応じて前記第１視認方向表示画像／前記第２視認方向表示画像を表示する構成としてあり、
前記画像入力部から前記入力画像検出部までの間隔は、前記視差制御部から前記入力画像検出部までの間隔の整数倍としてあること
を特徴とする液晶表示電子機器。
【請求項２】
請求項１に記載の液晶表示電子機器であって、
前記整数は、２であること
を特徴とする液晶表示電子機器。
【請求項３】
請求項１または請求項２に記載の液晶表示電子機器であって、
前記入力画像検出部は、前記表示制御液晶層を介して入力画像を検出する構成としてあり、入力画像が入力されるとき、前記表示制御液晶層の液晶分子の配列方向を制御する構成としてあること
を特徴とする液晶表示電子機器。
【請求項４】
請求項３に記載の液晶表示電子機器であって、
前記視差制御部は、前記視差制御部が有する視差制御液晶層の液晶分子の配列方向を制御することによって視差制御を施し、前記表示制御液晶層の液晶分子の配列方向は、前記視差制御液晶層の液晶分子の配列方向と同様に制御される構成としてあること
を特徴とする液晶表示電子機器。
【請求項５】
請求項１ないし請求項４のいずれか一つに記載の液晶表示電子機器であって、
前記画像表示信号生成部は、前記画像入力部の入力画像が入力された位置に対応させて第１視認方向表示画像または第２視認方向表示画像が視認されるように画像表示信号を生成すること
を特徴とする液晶表示電子機器。
【請求項６】
請求項１ないし請求項５のいずれか一つに記載の液晶表示電子機器であって、
前記入力許容領域は、前記入力画像検出部の有効領域より狭く設定してあること
を特徴とする液晶表示電子機器。
【請求項７】
請求項６に記載の液晶表示電子機器であって、
前記入力許容領域は、前記入力画像検出部の前記有効領域に対して、前記第１視認方向では、前記第１視認方向の方へ、前記第２視認方向では、前記第２視認方向の方へ、前記視差制御液晶層が有する視差制御ピッチに対応させてそれぞれ移動させてあること
を特徴とする液晶表示電子機器。
【請求項８】
請求項７に記載の液晶表示電子機器であって、
前記入力許容領域は、前記画像入力部に表示された入力許容領域マークによって画定されていること
を特徴とする液晶表示電子機器。
【請求項９】
請求項１ないし請求項８のいずれか一つに記載の液晶表示電子機器であって、
前記第１視認方向に対応して配置され前記第１視認方向からの操作を受け付ける第１操作部と、前記第２視認方向に対応して配置され前記第２視認方向からの操作を受け付ける第２操作部とを備えること
を特徴とする液晶表示電子機器。
【発明の詳細な説明】
【技術分野】
【０００１】
本発明は、第１視認方向に向けて第１視認方向表示画像を表示し、第２視認方向に向けて第１視認方向表示画像と異なる第２視認方向表示画像を表示する液晶表示部を備える液晶表示電子機器に関する。
【背景技術】
【０００２】
従来の電子機器の表示形態として、例えば、単一の表示画面によって異なる２方向に対して互いに異なる２画像を表示する形態のもの（例えば、特許文献１、特許文献２参照。）が提案されている。しかし、単に２画像が表示されるだけであり、電子機器に対してその場で直接的に入力操作を施すことはできず、異なる２方向からの異なる画像入力はできないという問題がある。
【０００３】
あるいは、２次元／３次元の表示機能を備える形態のものが知られている（例えば、特許文献３参照。）。しかし、この場合は、異なる方向にいる複数の利用者に対して異なる画像を表示することはできないという問題がある。
【０００４】
また、従来の電子機器の入力形態として、例えば、電子ペンを適用して入力するもの（例えば、特許文献４参照。）、あるいは、タッチパネルを適用して入力する形態のもの（例えば、特許文献５、特許文献６参照。）が知られている。しかし、これらの電子機器での入力形態は、単一方向からの操作を基本とするものであり、異なる２方向から異なる利用者による異なる２入力を許容するものではなく、２方向からの異なる利用者による異なる入力を併せて許容することは困難である。
【０００５】
上述したとおり、従来の電子機器では、異なる２方向からの異なる入力（操作）を許容する入力形態とすることができないことから、異なる方向からの異なる入力画像に対応させて異なる方向へ異なる表示画像を表示することはできなかった。
【０００６】
したがって、従来の電子機器では、単独利用が原則であり、同時に対向する２方向から操作して、対向位置にいる複数（２人）の利用者に対する異なる画像表示（情報表示）を実行することは困難であり、有効な機能（例えば視差制御による２画面表示）を十分に活用できないという問題があった。
【０００７】
また、視差制御によって液晶表示を行なう液晶表示電子機器では、視差制御を介しての画像入力が困難であり、欠落の生じない画像入力が困難であるという問題があった。
【特許文献１】特開２００７−２０６１０８号公報
【特許文献２】特開２００５−７８０８０号公報
【特許文献３】特開２００４−１１２１７４号公報
【特許文献４】特開平９−３４６３８号公報
【特許文献５】特開２０００−１３２３３８号公報
【特許文献６】特開２００６−２５１９２７号公報
【発明の開示】
【発明が解決しようとする課題】
【０００８】
本発明はこのような状況に鑑みてなされたものであり、視差制御部に重畳して配置され入力画像の入力が許容される入力許容領域を有する画像入力部と、入力許容領域に対応して配置され、入力された入力画像を第１視認方向または第２視認方向に対応させて検出する入力画像検出部と、入力画像検出部で検出された入力画像に画像演算処理を施して入力画像に対応する画像表示信号を生成する画像表示信号生成部とを備え、液晶駆動部は、画像表示信号に応じて第１視認方向表示画像／第２視認方向表示画像を表示する構成としてあり、画像入力部から入力画像検出部までの間隔は、視差制御部から入力画像検出部までの間隔の整数倍とすることにより、第１視認方向または第２視認方向を高精度に画定して入力画像を入力画像検出部で容易かつ高精度に検出することが可能で、視差制御を介しての入力画像の欠落を抑制して高精度の画像入力と高精度の視差制御による画像表示が可能な液晶表示電子機器を提供することを目的とする。
【課題を解決するための手段】
【０００９】
本発明に係る液晶表示電子機器は、表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器であって、前記視差制御部に重畳して配置され入力画像の入力が許容される入力許容領域を有する画像入力部と、前記入力許容領域に対応して配置され、入力された入力画像を前記第１視認方向または前記第２視認方向に対応させて検出する入力画像検出部と、該入力画像検出部で検出された入力画像に画像演算処理を施して入力画像に対応する画像表示信号を生成する画像表示信号生成部とを備え、前記液晶駆動部は、前記画像表示信号に応じて前記第１視認方向表示画像／前記第２視認方向表示画像を表示する構成としてあり、前記画像入力部から前記入力画像検出部までの間隔は、前記視差制御部から前記入力画像検出部までの間隔の整数倍としてあることを特徴とする。
【００１０】
この構成により、第１視認方向または第２視認方向を高精度に画定して入力画像を入力画像検出部で容易かつ高精度に検出することが可能となるので、入力画像の欠落を抑制して高精度の画像入力と高精度の画像表示が可能な液晶表示電子機器とすることができる。
【００１１】
また、本発明に係る液晶表示電子機器では、前記整数は、２であることを特徴とする。
【００１２】
この構成により、画像入力部から入力画像検出部までの間隔を最短に構成することが可能となるので、視差制御による変位量を最小にして入力画像に対する表示画像（第１視認方向表示画像または第２視認方向表示画像）の変位量を最小にし、薄型化することによって入力画像の透過時の減衰を防止することができる。
【００１３】
また、本発明に係る液晶表示電子機器では、前記入力画像検出部は、前記表示制御液晶層を介して入力画像を検出する構成としてあり、入力画像が入力されるとき、前記表示制御液晶層の液晶分子の配列方向を制御する構成としてあることを特徴とする。
【００１４】
この構成により、入力画像に対応する光信号が高精度に表示制御液晶層を透過することが可能となり、入力画像を入力画像検出部で高精度に検出することが可能となることから、入力画像を高精度に入力することができる。
【００１５】
また、本発明に係る液晶表示電子機器では、前記視差制御部は、前記視差制御部が有する視差制御液晶層の液晶分子の配列方向を制御することによって視差制御を施し、前記表示制御液晶層の液晶分子の配列方向は、前記視差制御液晶層の液晶分子の配列方向と同様に制御される構成としてあることを特徴とする。
【００１６】
この構成により、表示制御液晶層は、入力された入力画像を視差制御部と同様にして容易に透過させることが可能となることから、入力画像検出部で入力画像を高精度かつ鮮明に検出することができる。
【００１７】
また、本発明に係る液晶表示電子機器では、前記画像表示信号生成部は、前記画像入力部の入力画像が入力された位置に対応させて第１視認方向表示画像または第２視認方向表示画像が視認されるように画像表示信号を生成することを特徴とする。
【００１８】
この構成により、入力画像を検出した入力画像検出部の位置に対応する位置の液晶駆動部に画像表示信号を供給すれば良いことから、画像表示信号を容易に生成することが可能となり、再現性良く入力画像に対応する表示画像（第１視認方向表示画像または第２視認方向表示画像）を表示することができる。
【００１９】
また、本発明に係る液晶表示電子機器では、前記入力許容領域は、前記入力画像検出部の有効領域より狭く設定してあることを特徴とする。
【００２０】
この構成により、入力画像を検出するときの欠落を防止することが可能となり、入力画像を高精度に検出することができる。
【００２１】
また、本発明に係る液晶表示電子機器では、前記入力許容領域は、前記入力画像検出部の前記有効領域に対して、前記第１視認方向では、前記第１視認方向の方へ、前記第２視認方向では、前記第２視認方向の方へ、前記視差制御液晶層が有する視差制御ピッチに対応させてそれぞれ移動させてあることを特徴とする。
【００２２】
この構成により、入力画像を検出するときの欠落を確実に防止することが可能となり、入力画像の入力が無効となる領域を低減することが可能となる。
【００２３】
また、本発明に係る液晶表示電子機器では、前記入力許容領域は、前記画像入力部に表示された入力許容領域マークによって画定されていることを特徴とする。
【００２４】
この構成により、入力許容領域を明確に画定して入力画像を入力許容領域へ高精度に入力することが可能となり、入力画像を高精度に検出することができることとなる。
【００２５】
また、本発明に係る液晶表示電子機器では、前記第１視認方向に対応して配置され前記第１視認方向からの操作を受け付ける第１操作部と、前記第２視認方向に対応して配置され前記第２視認方向からの操作を受け付ける第２操作部とを備えることを特徴とする。
【００２６】
この構成により、それぞれの方向（第１視認方向、第２視認方向）で個別に機能を操作することが可能となり、操作性、機能性に優れた液晶表示電子機器とすることができる。
【発明の効果】
【００２７】
本発明に係る液晶表示電子機器によれば、表示制御液晶層および該表示制御液晶層を駆動する液晶駆動部を有する液晶表示部と、該液晶表示部に重畳して配置され前記液晶表示部が第１視認方向に向けて第１視認方向表示画像を表示し、第２視認方向に向けて第１視認方向表示画像と異なる第２視認方向表示画像を表示するように前記液晶表示部に対して視差制御を施す視差制御部とを備える液晶表示電子機器であって、前記視差制御部に重畳して配置され入力画像の入力が許容される入力許容領域を有する画像入力部と、前記入力許容領域に対応して配置され、入力された入力画像を前記第１視認方向または前記第２視認方向に対応させて検出する入力画像検出部と、該入力画像検出部で検出された入力画像に画像演算処理を施して入力画像に対応する画像表示信号を生成する画像表示信号生成部とを備え、前記液晶駆動部は、前記画像表示信号に応じて前記第１視認方向表示画像／前記第２視認方向表示画像を表示する構成としてあり、前記画像入力部から前記入力画像検出部までの間隔は、前記視差制御部から前記入力画像検出部までの間隔の整数倍としてあることから、第１視認方向または第２視認方向を高精度に画定して入力画像を入力画像検出部で容易かつ高精度に検出することが可能となるので、入力画像の欠落を抑制して高精度の画像入力と高精度の画像表示が可能な液晶表示電子機器することができるという効果を奏する。
【発明を実施するための最良の形態】
【００２８】
以下、本発明の実施の形態を図面に基づいて説明する。
【００２９】
＜実施の形態１＞
図１Ａないし図２Ｃに基づいて本実施の形態に係る液晶表示電子機器について説明する。
【００３０】
図１Ａは、本発明の実施の形態１に係る液晶表示電子機器の概略構成および視差制御された表示状態を概念的に示す平面図である。図１Ｂは、図１Ａに示した液晶表示電子機器の矢符Ｘ方向から見た側面状態を透視的に示す透視側面図である。
【００３１】
本実施の形態に係る液晶表示電子機器１は、筐体１ｃに、液晶表示部１０と、液晶表示部１０に重畳して配置され液晶表示部１０が相互に異なる第１視認方向ＥＤｆおよび第２視認方向ＥＤｓに向けて異なる表示画像ＤＩＭを表示するように液晶表示部１０に対して視差制御を施す視差制御部２０とを備える。
【００３２】
つまり、視差制御部２０は、第１視認方向ＥＤｆに向けて第１視認方向表示画像ＤＩＭｆを表示し、第２視認方向ＥＤｓに向けて第１視認方向表示画像ＤＩＭｆと異なる第２視認方向表示画像ＤＩＭｓを表示するように視差制御を施す。
【００３３】
なお、視差制御部２０での視差制御は、液晶分子の配列方向を制御することによって、実行することが可能である。
【００３４】
第１視認方向ＥＤｆで視認される表示画像ＤＩＭを第１視認方向表示画像ＤＩＭｆとし、第２視認方向ＥＤｓで視認される表示画像ＤＩＭを第２視認方向表示画像ＤＩＭｓとして示す。視差制御部２０を機能させることによって、第１視認方向表示画像ＤＩＭｆとしては、例えば三角図形を表示し、第２視認方向表示画像ＤＩＭｓとしては、例えば円図形を表示することが可能な構成としてある。つまり、視差制御（視差制御部２０）を介しての画像表示が可能な構成としてある。
【００３５】
なお、ここで示す表示画像ＤＩＭの図形状態は、視差制御による視差表示（異なる方向への異なる表示画像ＤＩＭの表示）を説明するために示すものである。
【００３６】
第１視認方向ＥＤｆおよび第２視認方向ＥＤｓを特に区別する必要が無い場合は、以下、単に視認方向ＥＤとすることがある。また、第１視認方向表示画像ＤＩＭｆおよび第２視認方向表示画像ＤＩＭｓを特に区別する必要が無い場合は、以下、単に視認方向ＤＩＭとすることがある。
【００３７】
第１視認方向表示画像ＤＩＭｆは、第１視認方向操作者ＯＰｆによって視認され、第２視認方向表示画像ＤＩＭｓは、第２視認方向操作者ＯＰｓによって視認される。なお、第１視認方向操作者ＯＰｆおよび第２視認方向操作者ＯＰｓを特に区別する必要が無い場合は、以下、単に操作者ＯＰとすることがある。
【００３８】
液晶表示電子機器１は、液晶表示部１０での視差表示機能に加えて視差表示機能に対応させた視差制御により制御された状態での画像入力が可能な構成としてある。つまり、視差制御部２０に重畳して配置され入力画像ＷＩＭの入力が許容される入力許容領域３１を有する画像入力部３０を備える。
【００３９】
したがって、入力した入力画像ＷＩＭを視差制御部２０によって第１視認方向ＥＤｆおよび第２視認方向ＥＤｓに対応させた第１視認方向入力画像ＷＩＭｆおよび第２視認方向入力画像ＷＩＭｓに分離して認識することが可能となる。つまり、視差制御（視差制御部２０）を介しての画像入力が可能な構成としてある。
【００４０】
第１視認方向入力画像ＷＩＭｆおよび第２視認方向入力画像ＷＩＭｓを特に区別する必要が無い場合は、以下、単に入力画像ＷＩＭとすることがある。
【００４１】
また、視差制御部２０による入力画像ＷＩＭに対する視差制御は、視差制御部２０の液晶分子の配列方向を制御することによって実行することが可能である（図２Ａ参照）。
【００４２】
画像入力部３０への画像入力は、例えば発光型入力ペン３５（第１視認方向操作者ＯＰｆが操作する第１発光型入力ペン３５ｆ、第２視認方向操作者ＯＰｓが操作する第２発光型入力ペン３５ｓ）によって実行される。なお、第１発光型入力ペン３５ｆおよび第２発光型入力ペン３５ｓを特に区別する必要が無い場合は、以下、単に発光型入力ペン３５とすることがある。
【００４３】
なお、以下の説明では、入力手段として発光型入力ペン３５を適用した場合について示すが、例えばタッチパネルのように接触式の入力手段を適用することも可能である。その場合には、発光型入力ペン３５に替えてタッチペンを適用することになり、例えば静電容量の検出に対応させて入力画像ＷＩＭを検出することとなる。
【００４４】
また、液晶表示電子機器１は、入力許容領域３１に対応して配置され入力された入力画像ＷＩＭを第１視認方向ＥＤｆまたは第２視認方向ＥＤｓに対応させて検出する入力画像検出部４０と、入力画像検出部４０で検出された入力画像ＷＩＭに画像演算処理を施して入力画像ＷＩＭに対応する画像表示信号Ｓｄｉｍを生成する画像表示信号生成部５０とを備える。
【００４５】
液晶表示部１０は、表示制御液晶層１１および表示制御液晶層１１を駆動する液晶駆動部１３を有し、液晶駆動部１３は、画像表示信号Ｓｄｉｍに応じて表示制御液晶層１１を駆動することによって表示画像ＤＩＭを表示する構成としてある。また、液晶表示部１０の背面には、バックライト１５が配置してある。
【００４６】
つまり、液晶表示電子機器１は、第１視認方向ＥＤｆおよび第２視認方向ＥＤｓに対応させて視差制御部２０で視差制御を施した入力画像ＷＩＭを入力画像検出部４０で検出することから、視差制御を施して検出した入力画像ＷＩＭに応じた表示画像ＤＩＭ（第１視認方向表示画像ＤＩＭｆ、第２視認方向表示画像ＤＩＭｓ）を表示することが可能となる。
【００４７】
図１Ａでは、第１視認方向入力許容領域３１ｆに三角形状の第１視認方向入力画像ＷＩＭｆが入力され、第１表示領域１０ｆにそのまま第１視認方向表示画像ＤＩＭｆとして表示された状態を示す。また、第２視認方向入力許容領域３１ｓに円形状の第２視認方向入力画像ＷＩＭｓが入力され、第２表示領域１０ｓにそのまま第２視認方向表示画像ＤＩＭｓとして表示された状態を示す。なお、この場合の画像入力の状態は図２Ａに対応し、画像表示の状態は図２Ｂに対応する。
【００４８】
したがって、視認制御を施して第１視認方向ＥＤｆおよび第２視認方向ＥＤｓでそれぞれ入力された入力画像ＷＩＭ（第１視認方向入力画像ＷＩＭｆ、第２視認方向入力画像ＷＩＭｓ）に対応する表示画像ＤＩＭ（第１視認方向表示画像ＤＩＭｆ、第２視認方向表示画像ＤＩＭｓ）を対応する第１視認方向ＥＤｆおよび第２視認方向ＥＤｓでそれぞれ視認することができるので、複数操作者ＯＰに対応した機能的な画像入力および画像表示が可能な優れた液晶表示電子機器１とすることができる。
【００４９】
入力許容領域３１は、相互に対向する位置に配置された第１視認方向入力許容領域３１ｆおよび第２視認方向入力許容領域３１ｓを備える。したがって、第１視認方向ＥＤｆおよび第２視認方向ＥＤｓに対応させた画像入力が可能となることから、第１視認方向ＥＤｆおよび第２視認方向ＥＤｓに対応する位置からの異なる操作者ＯＰ（第１視認方向ＥＤｆに対応する第１視認方向操作者ＯＰｆ、第２視認方向ＥＤｓに対応する第２視認方向操作者ＯＰｓ）による異なる画像入力を許容することができる。なお、第１視認方向入力許容領域３１ｆおよび第２視認方向入力許容領域３１ｓを特に区別する必要が無い場合は、以下、単に入力許容領域３１とすることがある。
【００５０】
入力許容領域３１は、画像入力部３０に表示された入力許容領域マーク３１ｍによって画定されている。したがって、入力許容領域３１を明確に画定して入力画像ＷＩＭを入力許容領域３１へ高精度に入力することが可能となり、入力画像ＷＩＭを高精度に検出することができることとなる。
【００５１】
なお、入力許容領域マーク３１ｍは、例えば画像入力部３０の表面に印刷で形成することが可能である。あるいは、特定の領域の液晶を固定表示させて入力許容領域マーク３１ｍとすることも可能である。
【００５２】
液晶表示電子機器１は、第１視認方向ＥＤｆ（第１視認方向操作者ＯＰｆ）に対応して配置され第１視認方向操作者ＯＰｆによる操作を受け付ける第１操作部６０ｆと、第２視認方向ＥＤｓ（第２視認方向操作者ＯＰｓ）に対応して配置され第２視認方向操作者ＯＰｓによる操作を受け付ける第２操作部６０ｓとを備える。
【００５３】
したがって、第１視認方向ＥＤｆまたは第２視認方向ＥＤｓそれぞれで、個別に機能を操作することが可能となり、操作性、機能性に優れた液晶表示電子機器１とすることができる。なお、第１操作部６０ｆおよび第２操作部６０ｓを特に区別する必要が無い場合は、以下、単に操作部６０とすることがある。
【００５４】
液晶表示部１０は、第１視認方向入力許容領域３１ｆに対応して配置され第１視認方向入力許容領域３１ｆに入力された第１視認方向入力画像ＷＩＭｆに対応する第１視認方向表示画像ＤＩＭｆを表示する第１表示領域１０ｆと、第２視認方向入力許容領域３１ｓに対応して配置され第２視認方向入力許容領域３１ｓに入力された第２視認方向入力画像ＷＩＭｓに対応する第２視認方向表示画像ＤＩＭｓを表示する第２表示領域１０ｓとを備える。
【００５５】
したがって、第１視認方向入力許容領域３１ｆへの第１視認方向入力画像ＷＩＭｆおよび第２視認方向入力許容領域３１ｓへの第２視認方向入力画像ＷＩＭｓに対応させた表示画像（第１視認方向表示画像ＤＩＭｆ、第２視認方向表示画像ＤＩＭｓ）をそれぞれ表示することが可能となり、入力画像を容易に確認できる利便性の良い液晶表示電子機器１とすることができる。
【００５６】
また、液晶表示部１０は、第１表示領域１０ｆと第２表示領域１０ｓとの間に第３表示領域１０ｔを備え、第３表示領域１０ｔは、第１視認方向ＥＤｆで視認される第１視認方向表示画像ＤＩＭｆ（例えば、三角図形）および第２視認方向ＥＤｓで視認される第２視認方向表示画像ＤＩＭｓ（例えば、円図形）を表示画像ＤＩＭとして表示する構成としてある。
【００５７】
なお、第３表示領域１０ｔで表示される表示画像ＤＩＭは、第１表示領域１０ｆ／第２表示領域１０ｓで表示される表示画像ＤＩＭ（第１視認方向表示画像ＤＩＭｆ／第２視認方向表示画像ＤＩＭｓ）に対して画像演算処理を施すことによって、例えば拡大して表示することが可能である。
【００５８】
したがって、第１表示領域１０ｆおよび第２表示領域１０ｓとは異なる第３表示領域１０ｔで表示画像ＤＩＭを表示することにより、第１視認方向ＥＤｆからは第１視認方向表示画像ＤＩＭｆを視認し、第２視認方向ＥＤｓからは第２視認方向表示画像ＤＩＭｓを視認することが可能となる。
【００５９】
つまり、単一の表示領域である第３表示領域１０ｔでは、視差制御によって相互に異なる図形を第１視認方向ＥＤｆ、第２視認方向ＥＤｓそれぞれに対応させて表示することが可能となり、汎用性、機能性に優れた液晶表示電子機器１とすることができる。
【００６０】
なお、第１表示領域１０ｆ、第２表示領域１０ｓ、および第３表示領域１０ｔによって、画像表示面１０ｄが構成される。また、画像演算処理を施すことによって、第３表示領域１０ｔに表示する表示画像ＤＩＭ（第１視認方向表示画像ＤＩＭｆ、第２視認方向表示画像ＤＩＭｓ）を相互に入れ替えることも可能である。このような画像演算処理は、実施の形態２で示す画像演算処理部６で実行することが可能である。
【００６１】
図２Ａは、図１Ｂに示した液晶表示電子機器の領域Ｙ１（第１表示領域、第１視認方向入力許容領域）の断面状態を拡大して第１視認方向での画像の入力状態を概念的に示す入力概念説明図である。図２Ｂは、図２Ａで入力した画像を第１視認方向で表示／視認するときの表示状態を概念的に示す表示概念説明図である。
【００６２】
図１Ｂに示した液晶表示電子機器の領域Ｙ１は、液晶表示部１０の第１視認方向入力許容領域３１ｆでの断面に対応する。したがって、表面側から、画像入力部３０、視差制御部２０、液晶表示部１０（第１表示領域１０ｆ）、バックライト１５が順次重ねられた状態となっている。なお、液晶表示部１０には、入力画像検出部４０（第１視認方向入力画像検出部４０ｆ）が配置してある。
【００６３】
また、第１視認方向入力許容領域３１ｆに対しては、第１視認方向ＥＤｆの第１視認方向操作者ＯＰｆが操作する第１発光型入力ペン３５ｆからの光信号ＬＳによって画像入力がなされる。
【００６４】
画像入力部３０は、例えば透光性の薄板で形成してあり、第１発光型入力ペン３５ｆからの光信号ＬＳ（第１視認方向入力画像ＷＩＭｆ）の入力が許容される。光信号ＬＳ（画像入力部３０への入力された位置に応じてＬＳａ、ＬＳｂ、ＬＳｃ、ＬＳｄ、ＬＳｅ、ＬＳｆ、ＬＳｇ、ＬＳｈ、ＬＳｉ、ＬＳｊ、ＬＳｋ、ＬＳｍとして表す。以下、光信号ＬＳａ、ＬＳｂ、ＬＳｃ、ＬＳｄ、ＬＳｅ、ＬＳｆ、ＬＳｇ、ＬＳｈ、ＬＳｉ、ＬＳｊ、ＬＳｋ、ＬＳｍを特に区別する必要が無い場合は、単に光信号ＬＳとすることがある。）は、視差制御部２０によって視差制御され、一部の光信号ＬＳだけが視差制御部２０を通過（第１視認方向入力画像ＷＩＭｆに対応する光信号ＬＳが通過）し、液晶表示部１０のカラーフィルタ１４へ入射する。
【００６５】
カラーフィルタ１４へ入射した光信号ＬＳは、液晶表示部１０の表示制御液晶層１１を通過して入力画像検出部４０（第１視認方向入力許容領域３１ｆに対応させた第１視認方向入力画像検出部４０ｆ）へ入力される。
【００６６】
視差制御部２０は、視差制御液晶層２１を備え、液晶分子の配列方向を制御することによって、光信号ＬＳに対する視差制御を実行する構成としてある。視差制御液晶層２１は、例えばデューティ液晶によって構成することが可能である。
【００６７】
視差制御液晶層２１は、視差制御バリアとしての視差制御液晶層２１ａ、２１ｂ、２１ｃ、２１ｄ、２１ｅ、２１ｆ、２１ｇ、２１ｈ、２１ｉ、２１ｊ、２１ｋ、２１ｍを有している。視差制御液晶層２１ａ、２１ｂ、２１ｃ、２１ｄ、２１ｅ、２１ｆ、２１ｇ、２１ｈ、２１ｉ、２１ｊ、２１ｋ、２１ｍに対してそれぞれ光信号ＬＳ（ＬＳａ、ＬＳｂ、ＬＳｃ、ＬＳｄ、ＬＳｅ、ＬＳｆ、ＬＳｇ、ＬＳｈ、ＬＳｉ、ＬＳｊ、ＬＳｋ、ＬＳｍ）が入射された状態として示してある。
【００６８】
視差制御バリアとしての視差制御液晶層２１ａ、２１ｂ、２１ｃ、２１ｄ、２１ｅ、２１ｆ、２１ｇ、２１ｈ、２１ｉ、２１ｊ、２１ｋ、２１ｍによる視差制御は、視差制御液晶層２１ａ、２１ｃ、２１ｅ、２１ｇ、２１ｉ、２１ｋでは第１視認方向ＥＤｆからの光信号ＬＳ（ＬＳａ、ＬＳｃ、ＬＳｅ、ＬＳｇ、ＬＳｉ、ＬＳｋ）を透過させ、他方、視差制御液晶層２１ａ、２１ｃ、２１ｅ、２１ｇ、２１ｉ、２１ｋに隣接して配置された視差制御バリアとしての視差制御液晶層２１ｂ、２１ｄ、２１ｆ、２１ｈ、２１ｊ、２１ｍでは第１視認方向ＥＤｆからの光信号ＬＳ（ＬＳｂ、ＬＳｄ、ＬＳｆ、ＬＳｈ、ＬＳｊ、ＬＳｍ）を遮断することで実行している。
【００６９】
つまり、入力画像ＷＩＭが入力されるとき、視差制御バリア（視差制御液晶層２１）の液晶分子の配列方向を交互に反対方向へ制御し、光信号ＬＳが視差制御バリアを交互に透過するようにして視差制御を施している。したがって、視差制御部２０を通過する光信号ＬＳ（ＬＳａ、ＬＳｃ、ＬＳｅ、ＬＳｇ、ＬＳｉ、ＬＳｋ）が、第１視認方向から液晶表示部１０（カラーフィルタ１４）へ入力されることとなる。
【００７０】
なお、視差制御液晶層２１ａ、２１ｂ、２１ｃ、２１ｄ、２１ｅ、２１ｆ、２１ｇ、２１ｈ、２１ｉ、２１ｊ、２１ｋ、２１ｍは均等に区分して配置され、視差制御ピッチＰｐを構成している。視差制御ピッチＰｐによって入力画像に対する分解能が画定される。
【００７１】
したがって、第１視認方向ＥＤｆから第１視認方向入力許容領域３１ｆに向けて入力された光信号ＬＳの内、視差制御部２０を通過する光信号ＬＳ（ＬＳａ、ＬＳｃ、ＬＳｅ、ＬＳｇ、ＬＳｉ、ＬＳｋ）が液晶表示部１０のカラーフィルタ１４へ入射され、さらには表示制御液晶層１１を透過する。
【００７２】
表示制御液晶層１１は、視差制御部２０の視差制御バリア（視差制御ピッチＰｐ）に対応させて、例えば表示制御液晶層１１ａ、１１ｂ、１１ｃ、１１ｄ、１１ｅ、１１ｆ、１１ｇ、１１ｈ、１１ｉ、１１ｊ、１１ｋに区分されている。また、表示制御液晶層１１の液晶分子の配列方向は、視差制御液晶層２１の液晶分子の配列方向と同様に制御される構成としてある。
【００７３】
つまり、表示制御液晶層１１ａ、１１ｂ、１１ｃ、１１ｄ、１１ｅ、１１ｆ、１１ｇ、１１ｈ、１１ｉ、１１ｊ、１１ｋの内、表示制御液晶層１１ａ、１１ｃ、１１ｅ、１１ｇ、１１ｉ、１１ｋでは、視差制御液晶層２１ａ、２１ｃ、２１ｅ、２１ｇ、２１ｉ、２１ｋと同様に第１視認方向ＥＤｆからの光信号ＬＳ（ＬＳａ、ＬＳｃ、ＬＳｅ、ＬＳｇ、ＬＳｉ、ＬＳｋ）を透過させるように液晶分子の配列方向が制御してある。
【００７４】
また、表示制御液晶層１１ａ、１１ｂ、１１ｃ、１１ｄ、１１ｅ、１１ｆ、１１ｇ、１１ｈ、１１ｉ、１１ｊ、１１ｋの内、表示制御液晶層１１ｂ、１１ｄ、１１ｆ、１１ｈ、１１ｊでは、視差制御液晶層２１ｂ、２１ｄ、２１ｆ、２１ｈ、２１ｊと同様に第１視認方向ＥＤｆからの光信号ＬＳ（ＬＳｂ、ＬＳｄ、ＬＳｆ、ＬＳｈ、ＬＳｊ）を遮断するように液晶分子の配列方向が制御してある。したがって、高精度に光信号ＬＳ（ＬＳｂ、ＬＳｄ、ＬＳｆ、ＬＳｈ、ＬＳｊ）を遮断することが可能となり、高精度に入力画像を検出することができる。
【００７５】
表示制御液晶層１１ａ、１１ｃ、１１ｅ、１１ｇ、１１ｉ、１１ｋを透過した光信号ＬＳ（ＬＳａ、ＬＳｃ、ＬＳｅ、ＬＳｇ、ＬＳｉ、ＬＳｋ）は、第１視認方向入力画像検出部４０ｆ（入力画像検出部４０）に入射する。
【００７６】
第１視認方向入力画像検出部４０ｆは第１視認方向入力許容領域３１ｆで第１視認方向入力画像ＷＩＭｆとしての光信号ＬＳを受光し、検出する。つまり、第１視認方向入力画像検出部４０ｆは、第１視認方向入力画像ＷＩＭｆを検出することが可能となる（図２Ａ）。なお、第１視認方向入力画像ＷＩＭｆは、第１発光型入力ペン３５ｆによる光信号ＬＳの軌跡に対応する。
【００７７】
入力画像検出部４０（第１視認方向入力画像検出部４０ｆ）は、発光型入力ペン３５（第１発光型入力ペン３５ｆ）で入力された入力画像ＷＩＭ（第１視認方向入力画像ＷＩＭｆ）を検出する光電変換素子４１（表示制御液晶層１１ａ、１１ｂ、１１ｃ、１１ｄ、１１ｅ、１１ｆ、１１ｇ、１１ｈ、１１ｉ、１１ｊ、１１ｋに対応させて配置された光電変換素子４１ａ、４１ｂ、４１ｃ、４１ｄ、４１ｅ、４１ｆ、４１ｇ、４１ｈ、４１ｉ、４１ｊ、４１ｋとして示す。以下、光電変換素子４１ａ、４１ｂ、４１ｃ、４１ｄ、４１ｅ、４１ｆ、４１ｇ、４１ｈ、４１ｉ、４１ｊ、４１ｋを区別する必要が無い場合は、単に光電変換素子４１とすることがある。）を備える。
【００７８】
したがって、容易かつ高精度に入力画像ＷＩＭを検出することが可能となる。なお、光電変換素子４１は、表示制御液晶層１１の画素に対応させて配置することが望ましい。つまり、液晶表示部１０は、フォトセンサ内蔵の液晶表示装置で構成してある。
【００７９】
なお、第１視認方向入力画像検出部４０ｆでは、入力画像の検出範囲を画定するために有効領域４０ｖが設定してある。例えば、光電変換素子４１ｂ〜光電変換素子４１ｊの範囲を有効領域４０ｖとする場合、光電変換素子４１ａ、光電変換素子４１ｋでは、有効領域４０ｖを外れることから予め無効に設定してある。
【００８０】
つまり、光電変換素子４１（光電変換素子４１ａ、光電変換素子４１ｋ）を設けずにおくことが可能である。すなわち、第１視認方向入力許容領域３１ｆから外れて入力された光信号ＬＳａ、ＬＳｋは、検出する必要が無いことから、仮に第１視認方向入力画像検出部４０ｆへ入射しても有効な光信号ＬＳとしての検出はされない。
【００８１】
したがって、本実施の形態では、光電変換素子４１ｃ、４１ｅ、４１ｇ、４１ｉのみが光電変換素子４１として機能し、光信号ＬＳ（ＬＳｃ、ＬＳｅ、ＬＳｇ、ＬＳｉ）が第１視認方向入力画像ＷＩＭｆとして検出されることとなる。
【００８２】
画像入力を実行するときは、入力許容領域３１に対応して表示された入力許容領域マーク３１ｍの範囲内で画像入力をすることによって、入力画像ＷＩＭの入力を正確に実行することが可能となる。つまり、入力許容領域マーク３１ｍを参照して、光信号ＬＳａ、Ｌｓｂ、ＬＳｊ、ＬＳｋ、Ｌｓｍの入力を予め回避することが可能となり、不要な画像入力を回避することができる。
【００８３】
第１視認方向入力画像検出部４０ｆ（光電変換素子４１ｃ、４１ｅ、４１ｇ、４１ｉ）が検出した第１視認方向入力画像ＷＩＭｆは、画像表示信号生成部５０へ送信される。画像表示信号生成部５０は、第１視認方向入力画像ＷＩＭｆに画像演算処理を施して第１視認方向入力画像ＷＩＭｆに対応する画像表示信号Ｓｄｉｍを生成する。
【００８４】
生成された画像表示信号Ｓｄｉｍは、画像表示信号生成部５０から液晶駆動部１３へ送信され、液晶駆動部１３は、画像表示信号Ｓｄｉｍに応じて表示制御液晶層１１を駆動する。液晶駆動部１３によって駆動された表示制御液晶層１１は、第１視認方向入力画像ＷＩＭｆに対応させた第１視認方向表示画像ＤＩＭｆを表示（図２Ｂ）することが可能となる。
【００８５】
つまり、第１視認方向操作者ＯＰｆは、第１視認方向ＥＤｆ（第１視認方向入力許容領域３１ｆ）から入力した第１視認方向入力画像ＷＩＭｆに対応する第１視認方向表示画像ＤＩＭｆを第１視認方向ＥＤｆ（第１表示領域１０ｆ）で視認することが可能となる。
【００８６】
液晶駆動部１３によって表示制御液晶層１１を駆動するとき、表示制御液晶層１１の液晶分子の配列方向は、視差制御液晶層２１と同様に制御する構成としてある。この構成によって視差制御液晶層２１による視差制御を画像入力時と画像表示時とで一致させることが可能となり、高精度の視差制御を実行することができる。
【００８７】
視差制御部２０は、視差制御部２０が有する視差制御液晶層２１の液晶分子の配列方向を制御することによって視差制御を施し、表示制御液晶層１１の液晶分子の配列方向は、視差制御液晶層２１の液晶分子の配列方向と同様に制御される構成としてあることが望ましい。
【００８８】
例えば、上述したとおり、視差制御液晶層２１ａ、２１ｃ、２１ｅ、２１ｇ、２１ｉ、２１ｋに対しては、第１視認方向ＥＤｆからの光信号ＬＳを透過させる方向に液晶分子の配列方向を制御し、視差制御液晶層２１ｂ、２１ｄ、２１ｆ、２１ｈ、２１ｊ、２１ｍに対しては、第１視認方向ＥＤｆからの光信号ＬＳを遮断する方向に液晶分子の配列方向を制御している。
【００８９】
また、表示制御液晶層１１ａ、１１ｃ、１１ｅ、１１ｇ、１１ｉ、１１ｋに対しては、視差制御液晶層２１ａ、２１ｃ、２１ｅ、２１ｇ、２１ｉ、２１ｋと同様に液晶分子の配列方向を制御することによって、第１視認方向ＥＤｆからの光信号ＬＳを入力画像検出部４０へ入射させ、表示制御液晶層１１ｂ、１１ｄ、１１ｆ、１１ｈ、１１ｊに対しては、視差制御液晶層２１ｂ、２１ｄ、２１ｆ、２１ｈ、２１ｊ、２１ｍと同様に液晶分子の配列方向を制御することによって、第１視認方向ＥＤｆからの光信号ＬＳが入力画像検出部４０へ入射することを防止している。
【００９０】
したがって、表示制御液晶層１１は、入力された入力画像ＷＩＭを視差制御部２０と同様にして容易に透過させることが可能となることから、入力画像検出部４０で入力画像ＷＩＭを高精度かつ鮮明に検出することができる。
【００９１】
入力画像検出部４０は、表示制御液晶層１１を介して入力画像ＷＩＭを検出する構成としてあり、入力画像ＷＩＭが入力されるとき、表示制御液晶層１１の液晶分子の配列方向を制御する構成としてあることが望ましい。
【００９２】
例えば、操作部６０を操作して画像入力モードに設定した状態では、表示制御液晶層１１の液晶分子の配列方向を視差制御液晶層２１の液晶分子の配列方向に同期させることが可能である。また、画像入力モードを設定しない場合には、入力画像検出部４０に配置された光電変換素子４１のいずれかが光信号ＬＳを検出したとき、画像入力が開始されたと判断して表示制御液晶層１１の液晶分子の配列方向を制御することが可能である。
【００９３】
したがって、入力画像ＷＩＭに対応する光信号ＬＳが高精度に表示制御液晶層１１を透過することが可能となり、入力画像ＷＩＭを入力画像検出部４０で高精度に検出することが可能となることから、入力画像ＷＩＭを高精度に入力することができる。
【００９４】
入力許容領域３１は、入力画像検出部４０の有効領域４０ｖより狭く設定してあることが望ましい。
【００９５】
例えば、第１視認方向入力許容領域３１ｆとして、視差制御液晶層２１ｂないし視差制御液晶層２１ｈに対応する領域を指定（入力許容領域マーク３１ｍ）した場合、光信号ＬＳの傾斜を考慮して、視差制御液晶層２１ｂに対応する側では光電変換素子４１ｂ、４１ｃ、・・・を有効とし、視差制御液晶層２１ｈに対応する側では光電変換素子４１ｈ、４１ｉ、４１ｊを有効とすることが可能である。
【００９６】
したがって、入力画像ＷＩＭを検出するときの欠落を防止することが可能となり、入力画像ＷＩＭを高精度に検出することができる。
【００９７】
入力許容領域３１は、入力画像検出部４０の有効領域４０ｖ（光電変換素子４１ｂないし光電変換素子４１ｊ）に対して、第１視認方向ＥＤｆでは、第１視認方向ＥＤｆの方へ、第２視認方向ＥＤｓでは、第２視認方向ＥＤｓの方へ、視差制御液晶層２１が有する視差制御ピッチに対応させてそれぞれ移動させてあることが望ましい。
【００９８】
例えば、第１視認方向ＥＤｆでの入力許容領域３１（入力許容領域マーク３１ｍ）は、光電変換素子４１ｂに対して第１視認方向ＥＤｆの方へ（第１視認方向操作者ＯＰｆの方へ）、１個分の視差制御ピッチＰｐ（視差制御液晶層２１ｂ）に対応させて移動させてある。また、光電変換素子４１ｊに対して第１視認方向ＥＤｆの方へ（第１視認方向操作者ＯＰｆの方へ）、３個分の視差制御ピッチＰｐ（視差制御液晶層２１ｉ、２１ｊ、２１ｋ）に対応させて移動させてある。なお、第２視認方向ＥＤｓに対しては、単に方向が逆になるのみであり、図示は省略する。
【００９９】
したがって、入力画像ＷＩＭを検出するときの欠落を確実に防止することが可能となり、入力画像ＷＩＭの入力が無効となる領域を低減することが可能となる。
【０１００】
画像入力部３０から入力画像検出部４０までの間隔Ｌ３は、視差制御部２０から入力画像検出部４０までの間隔Ｌ２の整数倍（整数は２以上）としてあることが望ましい。つまり、視差制御部２０から入力画像検出部４０までの間隔Ｌ２を「１」とした場合、画像入力部３０の表面と視差制御液晶層２１との間の間隔Ｌ１は、間隔Ｌ２に対して整数倍に設定することが望ましい。
【０１０１】
例えば、入力許容領域３１での光信号ＬＳの入射位置に対して、視差制御液晶層２１（例えば画素に対応する各区分領域２１ａ、２１ｂ、・・・）と入力画像検出部４０（例えば各光電変換素子４１ａ、４１ｂ、・・・）の位置関係を直線上に配置することが可能となり、視認方向ＥＤを正確に画定することが可能となる。
【０１０２】
したがって、第１視認方向ＥＤｆまたは第２視認方向ＥＤｓを高精度に画定して入力画像ＷＩＭを入力画像検出部４０で容易かつ高精度に検出することが可能となるので、入力画像ＷＩＭの欠落を抑制して高精度の画像入力と高精度の画像表示が可能な液晶表示電子機器１とすることができる。
【０１０３】
なお、画像入力部３０から入力画像検出部４０までの間隔Ｌ３は、視差制御部２０から入力画像検出部４０までの間隔Ｌ２の２倍としてあることが望ましい。つまり、（間隔Ｌ３／間隔Ｌ２）＝２であることが望ましい。
【０１０４】
この構成によって、画像入力部３０から入力画像検出部４０までの間隔Ｌ３を最短に構成することが可能となるので、視差制御による変位量を最小にして入力画像ＷＩＭに対する表示画像（第１視認方向表示画像ＤＩＭｆまたは第２視認方向表示画像ＤＩＭｓ）の変位量を最小にし、薄型化することによって入力画像ＷＩＭの透過時の減衰を防止することができる。
【０１０５】
画像表示信号生成部５０は、画像入力部３０の入力画像ＷＩＭが入力された位置に対応させて第１視認方向表示画像ＤＩＭｆまたは第２視認方向表示画像ＤＩＭｓが視認されるように画像表示信号Ｓｄｉｍを生成することが望ましい。
【０１０６】
例えば、液晶駆動部１３は、光信号ＬＳｃ、ＬＳｅ、ＬＳｇ、ＬＳｉを検出した光電変換素子４１ｃ、４１ｅ、４１ｇ、４１ｉに対応する表示制御液晶層１１（１１ｃ、１１ｅ、１１ｇ、１１ｉ）を駆動することによって、入力画像ＷＩＭを表示画像ＤＩＭｆとして高精度に再現することが可能となる。
【０１０７】
したがって、入力画像ＷＩＭを検出した入力画像検出部４０の位置に対応する位置の液晶駆動部１３に画像表示信号Ｓｄｉｍを供給すれば良いことから、画像表示信号Ｓｄｉｍを容易に生成することが可能となり、再現性良く入力画像ＷＩＭに対応する表示画像（第１視認方向表示画像ＤＩＭｆまたは第２視認方向表示画像ＤＩＭｓ）を表示することができる。
【０１０８】
なお、第２視認方向ＥＤｓに対する第２表示領域１０ｓ、第２視認方向入力許容領域３１ｓでの動作、画像演算処理については、単に視認方向が異なるのみで、第１視認方向ＥＤｆの場合と同様であるので、説明は省略する。
【０１０９】
図２Ｃは、図１Ｂに示した液晶表示電子機器の領域Ｙ２（第３表示領域）の断面状態を拡大して第１視認方向および第２視認方向で画像を表示／視認するときの表示状態を概念的に示す表示概念説明図である。なお、領域Ｙ２は、領域Ｙ１に対して液晶表示部１０での領域が異なるのみで、基本的な構成は、領域Ｙ１（図２Ａ、図２Ｂ）と同様であるので主に異なる事項について説明する。
【０１１０】
第３表示領域１０ｔでは、画像表示信号Ｓｄｉｍに応じて液晶駆動部１３が表示制御液晶層１１を駆動する。したがって、表示制御液晶層１１は、画像表示信号Ｓｄｉｍに応じた表示状態となる。また、表示制御液晶層１１と画像入力部３０の表面（画像表示面１０ｄ）との間には、上述したとおり、視差制御部２０（視差制御液晶層２１）が配置してあることから、液晶表示部１０は、視差制御部２０による視差制御に対応した表示画像ＤＩＭを表示する。
【０１１１】
つまり、第１視認方向ＥＤｆでは、視差制御部２０による視差制御によって第１視認方向表示画像ＤＩＭｆが表示（視認）され、第２視認方向ＥＤｓでは、視差制御部２０による視差制御によって第２視認方向表示画像ＤＩＭｓとして表示（視認）される。
【０１１２】
したがって、第１視認方向ＥＤｆの第１視認方向操作者ＯＰｆは、第３表示領域１０ｔに表示された表示画像ＤＩＭとして第１視認方向表示画像ＤＩＭｆ（例えば、三角図形）を視認することが可能となり、第２視認方向ＥＤｓの第２視認方向操作者ＯＰｓは、第３表示領域１０ｔに表示された表示画像ＤＩＭとして第２視認方向表示画像ＤＩＭｓ（例えば、円図形）を視認することが可能となる。
【０１１３】
上述したとおり、図２Ａの状態で、入力画像ＷＩＭの入力が許容される入力許容領域３１を有する画像入力部３０に入力された入力画像ＷＩＭを視差制御部２０を介して入力画像検出部４０で検出する（入力画像検出ステップ）こととなる。また、入力画像検出ステップで検出された入力画像ＷＩＭに画像演算処理を施して画像表示信号Ｓｄｉｍを生成する（画像表示信号生成ステップ）処理が実行される。
【０１１４】
また、図２Ｂ、図２Ｃの状態で、画像表示信号Ｓｄｉｍに応じて表示画像ＤＩＭを画像表示面１０ｄへ表示する（画像表示ステップ）処理が実行される。
【０１１５】
＜実施の形態２＞
図３に基づいて本実施の形態に係る液晶表示電子機器の構成について説明する。本実施の形態に係る液晶表示電子機器は、実施の形態１に係る液晶表示電子機器１と同様であるので、実施の形態１の説明を適宜適用して説明する。なお、第１視認方向ＥＤｆ、第２視認方向ＥＤｓいずれに対しても同様な構成とすることが可能であるので、以下では、視認方向は適宜省略して説明する。
【０１１６】
図３は、本発明の実施の形態２に係る液晶表示電子機器の機能構成ブロックの概略を示すブロック図である。
【０１１７】
本実施の形態に係る液晶表示電子機器１は、機能構成部ロックとして、制御部５、画像演算処理部６、記憶部８を備える。また、液晶表示部１０、液晶駆動部１３、視差制御部２０、画像入力部３０、入力画像検出部４０、画像表示信号生成部５０、操作部６０（操作入力インターフェイス６１）が適宜接続されている。
【０１１８】
制御部５は、中央処理装置（ＣＰＵ：Ｃｅｎｔｒａｌ  Ｐｒｏｃｅｓｓｉｎｇ  Ｕｎｉｔ）で構成され、予め記憶部８に記憶（インストール）されたコンピュータプログラムに基づいて、画像演算処理部６、記憶部８、液晶表示部１０、液晶駆動部１３、視差制御部２０、画像入力部３０、入力画像検出部４０、画像表示信号生成部５０、操作部６０（操作入力インターフェイス６１）に対する制御および連係動作を実行する。
【０１１９】
画像演算処理部６は、入力画像検出部４０で検出された入力画像ＷＩＭに各種の画像演算処理を施す。例えば、入力許容領域３１へ入力された入力画像ＷＩＭを検出し、検出した入力画像ＷＩＭを画像表示面１０ｄに表示画像ＤＩＭとして表示する処理を実行する。画像演算処理は、基本的にコンピュータプログラム（画像演算処理プログラム）を適用して実行することが可能である。
【０１２０】
また、画像演算処理部６は、入力画像検出部４０で検出された入力画像ＷＩＭに画像演算処理を施して入力画像ＷＩＭに対応する画像表示信号Ｓｄｉｍを生成する画像表示信号生成部５０を併せて備える。また、入力画像処理部６ｆ、画像複製処理部６ｓを備える。
【０１２１】
入力画像処理部６ｆは、入力画像ＷＩＭ（第１視認方向入力画像ＷＩＭｆ／第２視認方向入力画像ＷＩＭｓ）に対する画像演算処理を施して表示画像ＤＩＭ（第１視認方向表示画像ＤＩＭｆ／第２視認方向表示画像ＤＩＭｓ）を第１表示領域１０ｆ／第２表示領域１０ｓに表示するために必要な画像信号を画像表示信号生成部５０へ送信し、第１表示領域１０ｆ／第２表示領域１０ｓに第１視認方向表示画像ＤＩＭｆ（第１表示領域１０ｆに表示された三角図形）／第２視認方向表示画像ＤＩＭｓに表示された円図形）を表示する構成としてある（図１Ａ参照）。
【０１２２】
画像複製処理部６ｓは、入力画像ＷＩＭ（第１視認方向入力画像ＷＩＭｆ／第２視認方向入力画像ＷＩＭｓ）に対する画像演算処理を施して表示画像ＤＩＭ（第１視認方向表示画像ＤＩＭｆ／第２視認方向表示画像ＤＩＭｓ）を第３表示領域１０ｔに拡大して表示するために必要な画像信号を画像表示信号生成部５０へ送信し、第３表示領域１０ｔに第１視認方向表示画像ＤＩＭｆを表示する構成としてある（図１Ａ参照）。
【０１２３】
記憶部８には、実施の形態１で説明した各画像処理を実行するためのコンピュータプログラムが予めインストールしてある。また、必要に応じて入力画像ＷＩＭの画像情報、表示画像ＤＩＭの画像情報を一時的に記憶することが可能な構成としてある。
【０１２４】
液晶表示部１０、液晶駆動部１３、視差制御部２０、画像入力部３０、入力画像検出部４０の機能は実施の形態１で説明したとおりである。なお、画像入力は操作者ＯＰが外部に配置された発光型入力ペン３５を利用して画像入力部３０に対して実行することが可能である。
【０１２５】
また、操作部６０から適宜の指示を液晶表示電子機器１に対して実行することが可能である。操作部６０の構成を簡略化するために、画面にメニューを表示するメニュー形態でプログラムを実行する形式としてある。また、操作部６０からの操作を制御部５に伝達するために操作入力インターフェイス６１が制御部５と操作部６０との間に配置してある。
【図面の簡単な説明】
【０１２６】
【図１Ａ】本発明の実施の形態１に係る液晶表示電子機器の概略構成および視差制御された表示状態を概念的に示す平面図である。
【図１Ｂ】図１Ａに示した液晶表示電子機器の矢符Ｘ方向から見た側面状態を透視的に示す透視側面図である。
【図２Ａ】図１Ｂに示した液晶表示電子機器の領域Ｙ１（第１表示領域、第１視認方向入力許容領域）の断面状態を拡大して第１視認方向での画像の入力状態を概念的に示す入力概念説明図である。
【図２Ｂ】図２Ａで入力した画像を第１視認方向で表示／視認するときの表示状態を概念的に示す表示概念説明図である。
【図２Ｃ】図１Ｂに示した液晶表示電子機器の領域Ｙ２（第３表示領域）の断面状態を拡大して第１視認方向および第２視認方向で画像を表示／視認するときの表示状態を概念的に示す表示概念説明図である。
【図３】本発明の実施の形態２に係る液晶表示電子機器の機能構成ブロックの概略を示すブロック図である。
【符号の説明】
【０１２７】
１  液晶表示電子機器
１ｃ  筐体
５  制御部
１０  液晶表示部
１０ｄ  画像表示面
１０ｆ  第１表示領域
１０ｓ  第２表示領域
１０ｔ  第３表示領域
１１、１１ａ〜１１ｋ  表示制御液晶層
１３  液晶駆動部
１４  カラーフィルタ
１５  バックライト
２０  視差制御部
２１、２１ａ〜２１ｍ  視差制御液晶層
３０  画像入力部
３１  入力許容領域
３１ｆ  第１視認方向入力許容領域
３１ｍ  入力許容領域マーク
３１ｓ  第２視認方向入力許容領域
３５  発光型入力ペン
３５ｆ  第１発光型入力ペン
３５ｓ  第２発光型入力ペン
４０  入力画像検出部
４０ｆ  第１視認方向入力画像検出部
４０ｓ  第２視認方向入力画像検出部
４０ｖ  有効領域
４１、４１ａ〜４１ｋ  光電変換素子
５０  画像表示信号生成部
６０  操作部
６０ｆ  第１操作部
６０ｓ  第２操作部
ＤＩＭ  表示画像
ＤＩＭｆ  第１視認方向表示画像
ＤＩＭｓ  第２視認方向表示画像
ＥＤ  視認方向
ＥＤｆ  第１視認方向
ＥＤｓ  第２視認方向
Ｌ１、Ｌ２、Ｌ３  間隔
ＬＳ、ＬＳａ〜ＬＳｍ  光信号
ＯＰ  操作者
ＯＰｆ  第１視認方向操作者
ＯＰｓ  第２視認方向操作者
Ｐｐ  視差制御ピッチ
Ｓｄｉｍ  画像表示信号
ＷＩＭ  入力画像
ＷＩＭｆ  第１視認方向入力画像
ＷＩＭｓ  第２視認方向入力画像
【図１Ａ】
2009199011.tif 000003
【図１Ｂ】
2009199011.tif 000004
【図２Ａ】
2009199011.tif 000005
【図２Ｂ】
2009199011.tif 000006
【図２Ｃ】
2009199011.tif 000007
【図３】
2009199011.tif 000008